(57)【特許請求の範囲】
【請求項１】
大動脈が右および左側冠状動脈と出会っていて大動脈弁に隣接した、大動脈根の分岐領域に配置するためのプロテーゼであって、
第１および第２の端部を備えた筒状部と、前記筒状部の前記第１の端部から突出する第１の突出部と、を有する主管であるとともに、前記筒状部の前記第１の端部から突出する突出部の合計数が３を超えないものとされた、主管と、
第１の分岐管と、を具備してなり、
前記第１の分岐管は、
(ａ)前記第１の突出部、あるいは、
(ｂ)前記第１の突出部に隣接するポジションにおける前記筒状部に対して接続され、かつ、そこから延在しており、
前記主管および前記分岐管は、それぞれ大動脈および前記冠状動脈内に配置されるものであり、前記第１突出部は、前記大動脈弁の３つの小葉部のうちの１つの小葉部のボウル状キャビティ内に突出するようになっていることを特徴とするプロテーゼ。
【請求項２】
前記筒状部の前記第１の端部から突出する第２の突出部と、
第２の分岐管であって、
(ａ)前記第２の突出部、あるいは、
(ｂ)前記第２の突出部に隣接するポジションにおける前記筒状部に対して接続され、かつ、そこから延在している第２の分岐管と、
を具備してなり、
前記第２の分岐管は、第２の冠状動脈内に配置されるものであり、前記第２突出部は、前記大動脈弁の３つの小葉部のうちの第２の小葉部のボウル状キャビティ内に突出するようになっていることを特徴とする請求項１に記載のプロテーゼ。
【請求項３】
前記突出部の一つ以上は、
(ａ)前記筒状部の延長方向と交差する方向に延在しており、かつ／または、
(ｂ)前記筒状部の延長方向と同じ方向に延在していることを特徴とする請求項１または２に記載のプロテーゼ。
【請求項４】
前記主管は、壁を支持するための一つ以上のＺステントを具備してなり、前記Ｚステントの少なくとも一つは、前記筒状部の前記第１の端部に隣接して設けられており、かつ、前記突出部の外縁を画定していることを特徴とする請求項１ないし請求項３のいずれか１項に記載のプロテーゼ。
【請求項５】
前記分岐管の少なくとも一つは、フレキシブルでありかつ／または弾力性に富む前記突出部の壁セクションにつながっており、かつ、前記壁セクションは、前記筒状部の壁よりも、さらにフレキシブルでありかつ／または弾力性に富むことを特徴とする請求項１ないし請求項４のいずれか１項に記載のプロテーゼ。
【請求項６】
収縮状態と拡張状態との間で動作可能であり、かつ、前記プロテーゼは、このプロテーゼが収縮状態に置かれたとき、前記突出部の壁が、それにつながるかあるいは隣接する前記分岐管を包囲するよう構成されていることを特徴とする請求項１ないし請求項５のいずれか１項に記載のプロテーゼ。
【請求項７】
前記筒状部の壁材を支持するスカフォードを具備してなり、前記スカフォードは、二つ以上のワイヤリングと、隣接するワイヤリングを連結する連結スカフォード部材と、を含み、前記連結部材は、前記プロテーゼの一方側に面して配置され、かつ、対向する側には配置されないことを特徴とする請求項１ないし請求項６のいずれか１項に記載のプロテーゼ。
【発明の詳細な説明】
【技術分野】
【０００１】
本発明は、特に(必ずしもこれに限定されるわけではないが)血管の動脈瘤あるいは解離の治療において使用するための血管用のプロテーゼならびに血管に対してプロテーゼを送り込むための送り込み器具に関する。
【背景技術】
【０００２】
動脈瘤は血管、たとえば動脈の壁の恒久的拡張であり、これは、血管の血行動態を混乱させる。動脈瘤は血管のある領域において血液の流れを停止させることがあり、血餅生成のリスクを高めるが、これは脳塞栓を引き起こすことがある。さらに、血管の構造的な壁の完全性の低下が生じることがあるが、これは、血管の効率の低下を引き起こすと共に心臓の筋肉に大きな負荷をかけ、心不全あるいは血管破裂のリスクを高める。
【０００３】
解離は、血管の内膜における裂け傷あるいは血管のコラーゲン／エラスチン壁組織の層剥離である。解離は、血管内の虚内腔(すなわち内部空隙)を生じることがある。虚内腔によって血液が溜まる領域が生じることがあり、これは、血餅生成およびそれに続く脳塞栓のリスクを高める。ひどい解離によって血管の完全性が中断され、そして、たとえば胸腔内へ血管から出血することさえあり、これは短時間のうちに死を招く。
【０００４】
特に動脈瘤および解離が生じがちな分岐領域は、大動脈根が右および左側冠状動脈(これは心臓の筋肉に酸素含有血液を供給する)と出会う上行大動脈の領域である。大動脈根は左心室と大動脈との間のインターフェースに大動脈弁を含むが、これは、酸素含有血液が大動脈に流入することを可能とする。冠状動脈の小孔は大動脈弁に非常に接近して存在している。
【０００５】
解離および動脈瘤の従来の治療法としては、(血管に対するダメージの程度に依存して)問題のある組織を除去する外科的切除、あるいは傷付いた血管壁への機械的負荷を除去すると共に血液の輸送のための血行力学的に適合した管路を提供するための血管の内腔内への筒状プロテーゼあるいはステントグラフトの挿入が挙げられる。プロテーゼは、従来、Dacron(登録商標)あるいは高密度ポリテトラフルオロエチレン(ＰＴＦＥ)から製造される。
【０００６】
プロテーゼおよびステントグラフトは、血管の分岐領域、すなわち血管が枝分かれする領域に配置するために設計されてきた。たとえば、特許文献１〜４は、主として、大動脈の腸骨分岐点に配置される分岐プロテーゼ／ステントグラフトを開示している。このプロテーゼは、主管と第１の分岐管と第２の分岐管とを具備してなる。主管は大動脈内に位置するよう設計され、そして第１および第２の分岐管はそれぞれの腸骨動脈内に位置するよう設計される。
【０００７】
非特許文献１は、大動脈枝用の管を含むステントグラフトならびに導入方法を開示している。
【０００８】
プロテーゼおよびステントグラフトは大動脈根に配置するために設計されてきたが、こうしたプロテーゼは、損傷した大動脈弁に取って代わるかあるいはそのバックアップを実現するための人工の弁を具備してなる。そうしたプロテーゼの例は、特許文献５〜８に見出すことができる。
【先行技術文献】
【特許文献】
【０００９】
【特許文献１】国際公開第00/042948号パンフレット
【特許文献２】国際公開第03/082153号パンフレット
【特許文献３】国際公開第05/122957号パンフレット
【特許文献４】米国特許第5,984,955号明細書
【特許文献５】米国特許第6,482,228号明細書
【特許文献６】米国特許第6,790,230号明細書
【特許文献７】米国特許出願公開第2006/155363号明細書
【特許文献８】欧州特許第0592410号明細書
【非特許文献】
【００１０】
【非特許文献１】Journal article:K.Inoue他、Aortic Arch Reconstruction by Transluminally Placed Endovascular Branched Stent Graft, Circulation、1999年;100
【発明の概要】
【課題を解決するための手段】
【００１１】
本発明の第１の態様によれば、血管の分岐領域に配置するためのプロテーゼが提供されるが、当該プロテーゼは、
第１および第２の端部を備えた筒状部および第１の突出部を有する主管であって、第１の突出部は筒状部の第１の端部から突出している主管と、
第１の分岐管と、を具備してなり、
この第１の分岐管は、
(ａ)第１の突出部、あるいは、
(ｂ)第１の突出部に隣接するポジションにおける筒状部に対して接続されており、かつ、そこから延在している。
【００１２】
血管の分岐領域内にプロテーゼを配置することによって、それは、血管自体への物理的負荷を緩和できる。
【００１３】
本発明の第２の態様によれば、血管の分岐領域(分岐領域は主血管と一つ以上の分岐血管とを有する)にプロテーゼを送り込むための方法が提供されるが、当該方法は、
プロテーゼを提供するステップであって、当該プロテーゼは、
第１および第２の端部を備えた筒状部および第１の突出部を有する主管であって、第１の突出部は筒状部の第１の端部から突出している主管と、
第１の分岐管と、を具備してなり、この第１の分岐管は、
(ａ)第１の突出部、あるいは、
(ｂ)第１の突出部に隣接するポジションにおける筒状部に対して接続されており、かつ、そこから延在しているものであるステップと、
主管が主血管内に位置し、かつ、第１の分岐管が枝血管の一つの中に位置するように血管の分岐領域にプロテーゼを送り込むステップと、を具備する。
【００１４】
好ましくは、本発明の第１および／または第２の態様のプロテーゼは、主管の第１の端部から突出する第２の筒状部と、(ａ)第２の突出部あるいは(ｂ)第２の突出部に隣接するポジションにおける筒状部に対して接続されておりかつそこから延在している第２の分岐管とを具備してなる。第１および第２の突出部間にはギャップがもたらされる。第２の分岐管は、分岐血管の他方内に配置するためのものである。
【００１５】
突出部に隣接して、分岐管を筒状部に接続する場合、好ましくは、分岐管は、筒状部の第１の端部から１ｃｍ以下の、さらに好ましくは０.５ｃｍ以下、そして最も好ましくは０.２ｃｍ以下のポジションにおいて接続される。
【００１６】
突出部は、筒状部および突出部の両方に接続されてもよい。
【００１７】
好ましくは、大動脈根の分岐領域に配置されるためのものであるが、ここは、大動脈が右および左側冠状動脈と出会う場所であり、主管、第１の分岐管および第２の分岐管は、それぞれ、大動脈、右側冠状動脈および左側冠状動脈内に配置されることになる。
【００１８】
第１および第２の突出部から、あるいは突出部に隣接する主管上のポジションから延在するように第１および第２の分岐部を配置することによって、プロテーゼと大動脈弁との間の干渉を防止できる。さらに詳しくは、(大動脈根１００の構造を極めて大まかに示している)図１を参照すると、大動脈弁１００は、左および右側冠状動脈１０１,１０２に隣接して、上行大動脈の底に位置している。弁１００は三つの弁小葉部１０３を備える。各小葉部１０３の側縁１０４は、隣接する弁小葉部１０３の側縁１０４と解放可能に係合している。小葉部１０３は概して半月形状であり、それぞれがボウル状キャビティを形成している。小葉部１０３は、隣接する側縁が出会う三つの放射状に延在する隆起１０５を形成するように、その側縁１０４に向かって隆起している。隆起部１０５は弁１００の中央領域１０６から、弁１００の周囲に位置する交連ポイント１０７(すなわち側縁が接するポイント)へと隆起している。大動脈弁１００の構造は、隆起部１０５が、この隆起部１０５間の中央領域における大動脈の壁内に存在する冠状小孔１０８よりも高い交連ポイント１０７へと延在できるようなものである。
【００１９】
患者の大動脈弁の隆起部が冠状動脈小孔よりも高く延在している患者に対して使用するために、分岐管は突出部に対して接続されていることが好ましい。こうした状況では、プロテーゼの第１および第２の分岐部が、その代わりに、主管の筒状部につながりかつそこから延在するように配置される場合、筒状部は大動脈弁の隆起部よりも下方に延在するように押しやられることがあり、主管と大動脈弁との間の干渉が生じる。これは、大動脈弁に対する損傷を引き起こし、かつ／または、その機能不全を引き起こすことがある。だが、本発明のこの態様においては、プロテーゼは突出部を備え、この部分は大動脈弁の隆起部の間で、小葉部のボウル状キャビティ内へと突出でき、これによって干渉を伴わずに隆起部が迂回される。一つ以上の突出部が存在する場合、隣接する突出部間に設けられるギャップが隆起部を収容する。
【００２０】
しかしながら、プロテーゼが、患者の大動脈弁の隆起部が冠状動脈小孔よりも高く延在していない患者に対して使用するためのものである場合、分岐管は筒状部または突出部のいずれかに接続することができる。一方あるいは両方の分岐管が筒状部に対して接続される場合、接続ポイントに隣接して突出部を有することが有利である。というのは、それは、分岐管の突出部側に主管に対するさらなる構造体を提供するからであり、この構造体は、上述したように、それが大動脈弁と必ずしも干渉しないであろうように配置される。付加的構造体を提供することによって、分岐管は、冠状動脈小孔内に、よりしっかりと配置できる。
【００２１】
概して、突出部は、筒状部の全周を取り囲むように延在しない筒状部の延長部と見なすことができ、したがって、その間に、大動脈弁の隆起部を収めることが可能なギャップを有することができる。
【００２２】
それにもかかわらず、本発明のプロテーゼが、大動脈根における分岐領域ではなく血管の分岐領域のために使用できることは明らかであり、この場合、大動脈弁に対する異なる障害物は、分岐管を枝血管内に配置することを可能とするように誘導される必要がある。
【００２３】
突出部はそれぞれ、主管の筒状部の壁材と同一であるかあるいはそれとは異なる壁材からなることができる。各突出部の壁は、筒状部の第１の端部においてリムあるいは冠状領域につながっていてもよい。好ましくは、各突出部は、筒状壁部の周長の半分未満、より好ましくは三分の一未満を取り囲むように延在する筒状壁部の領域に対してつながっている。好ましくは、突出部は丸みを帯びた縁を有するが、この場合、突出部は葉状部と見なすことができる。丸みを帯びた縁を有することによって、突出部と接触した際の血管への損傷を最小限に抑えることができ、しかも、突出部は、弁の隆起部間で、弁小葉部によってもたらされるボウル状キャビティ内に嵌まり込むのにより適切な形状を有することができる。
【００２４】
突出部は、筒状部の延長方向に、主管の筒状壁部の第１の端部から突出してもよく、延長方向はその第１および第２の端部間の筒状部の延長方向である。これに代えて、突出部は、筒状部の延長方向と交差する方向に突出してもよい。好ましくは、突出部は、筒状部の延長方向から９０度未満の、より好ましくは４５度未満の方向に突出する。
【００２５】
好ましくは、プロテーゼは、筒状部の壁材を支持し、かつ、突出部の壁材を支持してもよいスカフォードを具備してなる。スカフォードは、一つ以上のワイヤリングを含んでいてもよい。ワイヤリングはジグザグ経路をたどってもよい。ワイヤリングはＺステントあるいは他の形態のステントであってもよい。
【００２６】
プロテーゼに沿って互いに離間した、二つ、三つ、あるいはそれ以上のワイヤリング(たとえばステント)あるいはその他のスカフォード部材が存在してもよい。
【００２７】
一つ以上のさらなるスカフォード部材、たとえばタイバーを、隣接するワイヤリングを連結するために使用することができる。こうした連結スカフォード部材は、ワイヤリング間でプロテーゼに沿って概ね長手方向に延在できる。スカフォード内でワイヤリングの各隣接する対を接続する一つ、二つ、三つ、あるいはそれ以上の連結部材が存在してもよい。
【００２８】
ある実施形態では、連結スカフォード部材は、プロテーゼの外周を取り囲むように非対称に配置される。たとえば、連結部材はプロテーゼの一方側に面するように配置でき、これによって、それらは、実質的に、ワイヤリングがその側で互いに離間するように動くのを阻止し、その一方で、反対側ではワイヤリングが互いにさらに動くことを可能とし、プロテーゼが上記一方側に向かって湾曲することを可能とする。これは、たとえば、プロテーゼが大動脈あるいはそれが配置されることになるその他の血管の湾曲に適合することを可能とするために望ましいであろう。
【００２９】
スカフォードが三つあるいはそれ以上のワイヤリングを具備してなる場合、ワイヤ部材の個々の隣接対を連結する連結部材は、好ましくは、互いに整列した状態とされない。第１および第２のワイヤリングを接続する連結部材は、たとえば、第２のワイヤリングを第３のワイヤリングに対して接続するものよりも、プロテーゼの外周まわりで、より近接して離間していてもよい。たとえば連結部材がない隣接ワイヤリング間にプロテーゼの一部の上記対向する側のより小さなあるいはより大きなアークを残すために、連結部材の相対ポジションの適切な選択によって、プロテーゼの可能な湾曲の量および方向を制御できる。
【００３０】
ワイヤリングの一つが筒状部の第１の端部に隣接して配置されてもよい。このワイヤリングのジグザグは筒状部から突出し、そして突出部の外縁を画定するように機能してもよい。
【００３１】
プロテーゼは、プロテーゼ弁、たとえばプロテーゼ大動脈弁を備えていてもよい。これは、実際の大動脈弁が損傷した場合に採用可能である。プロテーゼ大動脈弁は、上述した実際の大動脈弁と実質的に同じ形態を有していてもよい。たとえば、それは、三つの弁小葉部を備えていてもよく、各小葉部の側縁は、隣接する弁小葉部の側縁と解放可能に係合させられる。小葉部は、実質的に半月形状で、それぞれがボウル状キャビティを形成していてもよい。小葉部は、隣接する側縁が出会う三つの放射状に延在する隆起部を形成するように、その側縁に向かって起立していてもよい。隆起部は、弁の周囲に配置された交連ポイントへと、弁の中央領域から起立していてもよい。
【００３２】
人工大動脈弁は、主管の突出部に隣接して設けられてもよい。好ましくは、こうした状況では、交連ポイントは、隣接する突出部間で主管の筒状部に対して接続される。
【００３３】
好ましくは、筒状部は、使用時に、それと上行大動脈の壁との間に血液が流れるのを阻止するため、その外面に周方向シーリング要素を具備してなる。好ましくは、シーリング要素は、筒状部の第１の端部に隣接して設けられる。シーリング要素は、使用時に、洞管状接続部に位置してもよい。それにもかかわらず、シーリング要素は、筒状部の第１および第２の端部間のどこにでも配置することができる。
【００３４】
好ましくは、プロテーゼは、拡張および収縮状態間で作動できる。プロテーゼは、分岐領域への送り込み中、収縮状態に置くことができ、この結果、それは、送り込みの間、妨害される可能性が低下する。その後、分岐領域に配置されると、それは使用のために拡張できる。好ましくは、プロテーゼは、それが収縮状態に置かれたとき、突出部の壁が、部分的にあるいは完全に、それに接続されるか隣接する分岐管を取り囲むように配置される。したがって、プロテーゼはよりコンパクトでかつ流線状の形態を取ることができ、分岐管が分岐領域への送り込み中に邪魔される可能性が低減される。
【００３５】
上述したように、プロテーゼの突出部は、プロテーゼと大動脈弁との間の接触を最小限に抑えるために採用できるが、プロテーゼがプロテーゼ大動脈弁を備える場合、突出部はそれが実際の大動脈弁を押圧し、それを開放するように配置されてもよい。突出部は、血管の壁に対して弁小葉部の一つ以上を押し付けてもよい。実際の大動脈弁を開放ポジションで維持することによって、二つの弁が同時に機能することに伴って生じる潜在的な問題を回避できる。大動脈弁を開放状態へと押しやるための突出部を採用することによって、たとえば弁小葉部の中央領域を押しやるための大動脈弁の適当な部分を標的とすることができる。さらに、主管の素材の量を最小限にすることができ、プロテーゼが、その折り畳み状態でよりコンパクトな形態をとることが可能となる。
【００３６】
本発明の第３の態様によれば、大動脈が右および左側冠状動脈と出会う大動脈根の分岐領域に配置するためのプロテーゼが提供されるが、当該プロテーゼは、
大動脈内に配置するための主管であって、第１および第２の端部を有し、第１の端部は第２の端部の上流側で大動脈根内に配置するためのものである主管と、
主管の第１および第２の端部間に置かれたポジションにおいて主管に接続された第１の分岐管であって、左および右冠状動脈の一方内に配置するためのものである第１の分岐管と、
プロテーゼ大動脈弁と、を具備してなり、
第１の分岐管と主管の接続ポジションと主管の第１の端部との間の距離は、第１の分岐管が左および右冠状動脈の一方内に配置されたとき、主管の第１の端部は、それが大動脈弁を押圧するポジションまで大動脈根内で延在し、大動脈弁を開放ポジションで維持するようなものである。
【００３７】
本発明の第４の態様によれば、大動脈が右および左側冠状動脈と出会う大動脈根の分岐領域へプロテーゼを送り込むための方法が提供されるが、当該方法は、
プロテーゼを提供するステップであって、当該プロテーゼは、
第１および第２の端部を有する主管と、
この主管の第１および第２の端部間に置かれたポジションにおいて主管に対して接続された第１の分岐管と、
プロテーゼ大動脈弁と、を具備してなるものであるステップと、
プロテーゼを分岐領域へと送り込むと共に、主管を大動脈内に、そして第１の分岐管を左および右側冠状動脈の一方内に配置し、これによって、主管の第１の端部で大動脈弁を押圧し、大動脈弁を開放ポジションで維持するステップと、を具備してなる。
【００３８】
本発明の第１および第２の態様に関して先に説明したように、大動脈弁を開放ポジションで維持することによって、二つの弁が同時に機能することに伴って生じ得る問題を回避できる。
【００３９】
好ましくは、プロテーゼは、左および右側冠状動脈の他方内に配置するための、主管に接続された第２の分岐管を具備してなる。
【００４０】
好ましくは、第１の分岐管と主管との接続部と、主管の第１の端部との間の距離は、少なくとも１ｃｍ、好ましくは１ｃｍないし２ｃｍである。
【００４１】
主管は円筒状であってもよい。それは、その第１および第２の端部間に円筒壁を有していてもよい。代替例として、主管は、本発明の第１の態様に関して先に説明したように、筒状部および一つ以上の突出部を有していてもよい。
【００４２】
好ましくは、本発明の上記態様の一つ以上において、分岐管は、フレキシブルでありかつ／または弾力性に富む突出部、主管あるいは筒状部の壁の領域に対してつながる。好ましくは、この壁領域は、主管の残部、たとえば筒状部の壁よりも、さらに弾力性に富む。フレキシブルでありかつ／または弾力性に富む壁領域につながることによって、分岐管は、全体としてプロテーゼに対して、あるいは互いに、一層容易に動くことができる。これによって、異なる解剖学的形態を有する血管の分岐領域において使用するための、より高い適応性をプロテーゼに対して付与できる。
【００４３】
本発明の第５の態様によれば、血管の分岐領域に配置するためのプロテーゼが提供されるが、当該プロテーゼは、
主管であって、その第１および第２の端部間で延在する壁を有する主管と、
一つ以上の分岐管とを具備してなり、
主管の壁は、第１のセクションおよび第２のセクションを具備してなり、第２のセクションは第１のセクションよりも、さらにフレキシブルでありかつ／または弾力性に富み、かつ、
一つ以上の分岐管は、第２のセクションに対して接続されると共に、この第２のセクションから延在する。
【００４４】
本発明の第６の態様によれば、血管の分岐領域(この分岐領域は、主血管と一つ以上の枝血管とを有する)へプロテーゼを送り込むための方法が提供されるが、当該方法は、
プロテーゼを提供するステップであって、当該プロテーゼは、
主管であって、その第１および第２の端部間で延在する壁を有する主管と、
一つ以上の分岐管とを具備してなり、
主管の壁は、第１のセクションおよび第２のセクションを具備してなり、第２のセクションは第１のセクションよりも、さらにフレキシブルでありかつ／または弾力性に富み、かつ、
一つ以上の分岐管は、第２のセクションに対して接続されると共に、この第２のセクションから延在しているものであるステップと、
主管が主血管内に位置し、かつ、第１の分岐管が枝血管の一つの中に位置するように、プロテーゼを血管の分岐領域へと送り込むステップと、
を具備する。
【００４５】
第５および第６態様においては、好ましくは、分岐領域は、大動脈が左および右側冠状動脈と出会う大動脈根の分岐領域である。
【００４６】
主管は、上述したように、支持枠を備えた壁材からなっていてもよい。第２のセクションが第１のセクションよりもさらにフレキシブルでありかつ／または弾力性に富むように、それは、支持枠を持たなくても(たとえばＺステントを持たなくても)、あるいは(それを支持するための)第１のセクションよりも少ない量の支持枠を有していてもよい。これに代えて、あるいは加えて、第２のセクションの壁材の特性(たとえば、素材の厚み、組織および／または化学的特性)は、第２のセクションが第１のセクションよりもさらにフレキシブルでありかつ／または弾力性に富むようなものであってもよい。
【００４７】
第１および第２のセクションは、主管の周壁セクションであってもよい。主管の壁は第３のセクション、たとえば第３の周壁セクションを備えていてもよく、第２のセクションはまた、第３のセクションよりも、さらにフレキシブルでありかつ／または弾力性に富んでいる。
【００４８】
第２の周壁セクションは第１および第３の周壁セクション間に設けられてもよく、一つ以上の分岐管は第２の周壁セクションに対して接続される。
【００４９】
主管のよりフレキシブルでありかつ／または弾力性に富む部分につながるように分岐管を配置することによって、分岐管は、互いに、あるいはプロテーゼに対して全体として、かなりの程度動くことができる。これによって、異なる解剖学的形態を有する血管の分岐管において使用するための、より高い適応性をプロテーゼに対して付与できる。
【００５０】
好ましくは、本発明の上記態様のいずれか一つ以上のプロテーゼは、経皮的に分岐領域へと送り込まれる。好ましくは、カテーテル器具は、プロテーゼを分岐領域へと送り込むために使用される。
【００５１】
カテーテル器具は、プロテーゼを分岐領域へと押しやるためのコアカテーテルと、分岐管を個々の枝血管内に押しやるためのアクチュエータとを備えていてもよい。好ましくは、コアカテーテルは、その遠位端部において、プロテーゼと係合するためのプッシュ要素に接続される。プッシュ要素は、プロテーゼと係合するための平坦な遠位面を有していてもよい。好ましくは、アクチュエータは、プッシュ要素に対して、可動的に取り付けられる(たとえばスライド可能に取り付けられる)。
【００５２】
本発明の第７の態様によれば、血管の分岐領域にプロテーゼ(このプロテーゼは主管と一つ以上の分岐管とを具備してなる)を送り込むためのカテーテル器具が提供されるが、当該カテーテル器具は、
遠位端部および近位端部を有するカテーテルコアと、
プロテーゼと係合すると共にそれを押しやるためにコアカテーテルの遠位端部に設けられたプッシュ要素と、
プロテーゼの一つ以上の分岐管を押しやるための一つ以上のアクチュエータと、を具備してなり、
アクチュエータはプッシュ要素に対して動作可能に設けられる。
【００５３】
本発明の第８の態様によれば、血管の分岐領域(この分岐領域は主血管と一つ以上の枝血管とを有する)にプロテーゼを送り込む方法が提供されるが、当該方法は、
主管および一つ以上の分岐管を具備してなるプロテーゼを提供するステップと、
遠位端部および近位端部を有するコアカテーテルおよび遠位端部のプッシュ要素を提供するステップであって、一つ以上のアクチュエータはプッシュ要素に対して動作可能に設けられたものであるステップと、
プッシュ要素がプロテーゼを分岐領域へと押しやるようにコアカテーテルを動かすステップと、
アクチュエータが一つ以上の分岐管を一つ以上の枝血管内へと押しやるように、プッシュ要素に対して一つ以上のアクチュエータを動かすステップと、を具備してなる。
【００５４】
好ましくは、プロテーゼは、本発明の第１、第３および／または第５の態様に関して先に説明したようなプロテーゼであってもよい。
【００５５】
好ましくは、アクチュエータはプッシュ要素に対してスライド可能に取り付けられる。本発明の上記態様においては、アクチュエータをプッシュ要素に対してスライド可能に配置するために、プッシュ要素は孔すなわち内腔(それを経てアクチュエータが突出できる)を備えていてもよい。プッシュ要素は、コアカテーテルの延長方向と実質的に直交する方向に延在する側方領域を有していてもよく、孔はプッシュ要素の側方領域に設けられる。
【００５６】
好ましくは、アクチュエータはそれぞれバルーンカテーテルを備えていてもよい。バルーンカテーテルはアクチュエータスリーブ内に設けられてもよい。
【００５７】
好ましくは、カテーテル器具は補強ライナースリーブを具備してなり、この補強ライナースリーブは、コア、プッシュ要素および／またはアクチュエータの上に配置するためのものであり、一方、カテーテル器具は分岐領域に向かって動かされる。ライナースリーブは、たとえば、編組金属あるいは螺旋配置金属によって補強されてもよい。ライナースリーブは、カテーテル器具がコンパクトでかつ流線形のプロファイルをとることを可能とし、しかも、カテーテルの一部がタイトコーナー、たとえば上行大動脈の湾曲部を通過するとき、それが捩れるのを阻止し得る。
【００５８】
以下、図面を参照して、本発明を具現化している実例について説明する。
【図面の簡単な説明】
【００５９】
【図１】大動脈根の代表的な構造を示す図である。
【図２ａ】本発明の第１実施形態に基づくプロテーゼの斜視図である。
【図２ｂ】本発明の第１実施形態に基づくプロテーゼの端面図である。
【図３】本発明の第２実施形態に基づくプロテーゼの斜視図である。
【図４ａ】本発明の第３実施形態に基づくプロテーゼの側面図である。
【図４ｂ】本発明の第３実施形態に基づくプロテーゼの端面図である。
【図５ａ】本発明の第４実施形態に基づくプロテーゼの側面図である。
【図５ｂ】本発明の第４実施形態に基づくプロテーゼの端面図である。
【図６ａ】本発明の第５実施形態に基づくプロテーゼの側面図である。
【図６ｂ】本発明の第５実施形態に基づくプロテーゼの端面図である。
【図７ａ】本発明の第６実施形態に基づくプロテーゼの側面図である。
【図７ｂ】本発明の第６実施形態に基づくプロテーゼの端面図である。
【図８】本発明の第７実施形態に基づくプロテーゼの側面図である。
【図９ａ】本発明の第８実施形態に基づくプロテーゼの、収縮状態での側面図である。
【図９ｂ】本発明の第８実施形態に基づくプロテーゼの、収縮状態での端面図である。
【図９ｃ】図９ａおよび図９ｂのプロテーゼの突出部の拡大側面図である。
【図９ｄ】図９ａおよび図９ｂのプロテーゼの突出部の拡大端面図である。
【図１０】本発明の第９実施形態に基づくプロテーゼの斜視図である。
【図１１】本発明の一実施形態に基づく、血管の分岐領域へとプロテーゼを送り込むための器具の側面図である。
【図１２】本発明の一実施形態に基づく、血管の分岐領域へとプロテーゼを送り込むための器具の側面図である。
【図１３】本発明の一実施形態に基づく、血管の分岐領域へとプロテーゼを送り込むための器具の側面図である。
【図１４】本発明の一実施形態に基づく、血管の分岐領域へとプロテーゼを送り込むための器具の側面図である。
【図１５】本発明の一実施形態に基づくプロテーゼの直線形態でのイメージを示す図である。
【図１６】プロテーゼの主管に対して分岐管をある程度曲げた状態で、図１５のプロテーゼのイメージを示す図である。
【図１７】図１５のプロテーゼの湾曲形態でのイメージを示す図である。
【図１８ａ】図１５のプロテーゼのためのステントスカフォード構造体の正面図である。
【図１８ｂ】図１５のプロテーゼのためのステントスカフォード構造体の概略側面図である。
【図１８ｃ】ステント支持枠がプロテーゼが湾曲することを可能とする方策を示す図である。
【図１８ｄ】ステント支持枠がプロテーゼが湾曲することを可能とする方策を示す図である。
【図１９】配置中に大動脈根内の本来の位置にある図１５のプロテーゼを示す図である。
【発明を実施するための形態】
【００６０】
図２ａおよび図２ｂを参照すると、本発明の第１の態様に基づくプロテーゼは、第１および第２の端部１２,１３を備えた筒状壁部１１を有する主管１０を具備してなるが、筒状部１１は、その延長方向(この方向は図２ａにおいて線Ａ−Ａで示される)に第１および第２端部間で延在している。第１および第２の開口１２１,１３１が、筒状壁部の第１および第２の端部１２,１３にそれぞれ設けられている。主管１０はさらに、第１、第２および第３の突出部１４,１５,１６を具備してなるが、これらは、筒状壁部１１の第１の端部１２に結合されている。第３の突出部１６は図２ａには示されていないが、図２ｂには示されている。
【００６１】
主管１０は、収縮状態と拡張状態との間で動作可能である。主管１０は、図２ａおよび図２ｂにのみ拡張状態で示されている。プロテーゼは、分岐領域への送り込みの間、収縮ポジションに置くことが可能であり、この結果、送り込みの間、進行を妨害されることはない。その後、分岐領域に位置させられると、それは使用のために拡張させられる。
【００６２】
筒状部１１の壁材は、シリコーン被覆ナイロンテキスタイルであってもよく、この素材は複数の一体型Ｚステント１１２によって支持される。Ｚステント１１２は、たとえば、素材中に縫い込まれてもよい。
【００６３】
筒状部１１は、第１の開口１を取り囲む実質的に円形のリム１１１を有する。第１、第２および第３の突出部１４,１５,１６はこのリム１１１に結合されている。各突出部は、この実施形態では、リム１１１の三分の一未満に結合されている。
【００６４】
突出部１４,１５,１６は、この実施形態では、薄壁葉状要素である。プロテーゼ１は、第１および第２の分岐管１７,１８を具備してなるが、これは、それぞれ第１および第２の突出部１４,１５に結合されている。分岐管１７,１８は筒状壁を具備してなるが、これは拡張可能なステント１７２,１８２によって支持されており、これは、使用時に、個々の枝血管内で分岐管を定着させるために拡張可能である。分岐管１７,１８は、流体が開口１７１,１８１を通り、そして分岐管１４,１５内へと流れ込むことを可能とするために、第１および第２の突出部１４,１５の個々の開口１７１,１８１の上に位置する。
【００６５】
プロテーゼ１は、大動脈根の分岐領域に配置されるよう構成されるが、ここは、大動脈が右および左側冠状動脈と出会う場所である。プロテーゼ１が配置されるとき、主管１０は、上行大動脈内に配置されるように構成され、そして第１および第２の分岐管１４,１５は、それぞれ右および左側冠状動脈内に配置されるように構成される。第１および第２の分岐管１４,１５を突出部１４,１５,１６上に配置することによって、プロテーゼ１は、大動脈根に配置された大動脈弁との干渉(これは弁の機能不全および／または損傷を引き起こし得る)を伴わずに、冠状動脈内に挿入するために上行大動脈の下方の十分遠方のポジションへと延在できる。特に、突出部１４,１５,１６は、大動脈弁の半月形小葉部によってもたらされるボウル状キャビティ内へと延在するよう配置され(図１参照)、かつ、突出部間のギャップは、プロテーゼ１と大動脈弁との間の接触をほとんどあるいは全く伴わずに、小葉部間に存在する隆起部および接合部を収容するよう配置される。突出部間にもたらされるギャップは、図２ｂにおいて、矢印Ｇで大まかに示されている。
【００６６】
突出部１４,１５,１６は、主管の延長方向Ａ−Ａから、３０ないし４５度の角度で突出している。これによって、突出部が、大動脈弁の輪郭を、より密接にたどることが可能となる。
【００６７】
本発明の第２実施形態に基づくプロテーゼ２を図３に示す。プロテーゼ２は、突出部の配置を除いて、本発明の第１実施形態に関して先に説明したプロテーゼ１と類似している。
【００６８】
第２実施形態では、突出部２１〜２６が主管２０の切欠きによってもたらされており、これによって、筒状部２７の第１の端部に隣接する、主管２０のリップ２０１は、主管２０の壁を支持するＺステント２０２のジグザグ経路をたどる。経路の「ジグ」がプロテーゼの突出部２１〜２６を提供し、かつ、経路の「ザグ」が突出部間のギャップＧを提供することも(あるいはその逆も)考えられる。この実施形態では、ジグザグ経路は、六つの突出部２１〜２６を備えたプロテーゼを提供するが、分岐管２８,２９は二つの対向する突出部２１,２４に接続されており、かつ、そこから延在している。筒状部２７の第１の端部は破線Ｂによって示すが、突出部２１〜２６はそこから突出している。にもかかわらず、突出部２１〜２６の壁および筒状部２７は一体である。この実施形態では、突出部２１〜２６は、破線Ａ'‐Ａ'で示すように、筒状部２７の延長方向と同じ方向に突出している。
【００６９】
第２実施形態に基づくプロテーゼ２は、第１実施形態に関して先に説明したのと同じ様式で使用するために意図されている。突出部２１〜２６は、第１実施形態の突出部１４,１５,１６のように主管の延長方向に対して斜めになっていないが、突出部２１〜２６は依然として大動脈弁の輪郭を実質的にたどることができ、そしてプロテーゼ２は、本発明の第１実施形態のプロテーゼ１よりも、製造が簡単であろう。
【００７０】
本発明の第３実施形態に基づくプロテーゼ３を図４ａおよび図４ｂ示す。プロテーゼ３は、本発明の第２実施形態に関して先に説明したプロテーゼ２と類似している。だが、主管３０の第１の端部３０３に設けられたリップ３０１およびＺステント３０２のジグザグ経路は少ない頻度を有し、六つではなく、三つの突出部３２,３３,３４のみをプロテーゼ３に付与しており、突出部は筒状部３１の(破線Ｂ'で示す)第１の端部から突出している。三つの突出部３２,３３,３４のみを有することによって、突出部は大動脈弁の三つの小葉部の配置構造により密接に適合し、それゆえ良好な収まり具合を実現できる。二つの分岐管３５,３６は、突出部３２,３３の二つに対して接続され、かつ、そこから延在している。
【００７１】
この実施形態では、プロテーゼ３は、主管３０の壁と大動脈の壁との間に、プロテーゼを通過して流体が流れるのを減じるかあるいは阻止するように意図された周方向シーリング要素３７を備える。
【００７２】
本発明の第４実施形態に基づくプロテーゼ４を図５ａおよび図５ｂに示す。プロテーゼ４は、それが、損傷した大動脈弁に取って代わるか、あるいはそのバックアップを提供することを意図された疑似(プロステーシス)弁４００を備えることを除いて、第３実施形態(図４ａおよび図４ｂ)のプロテーゼ３に類似している。
【００７３】
人工弁４００は主管４０の第１の端部４１に配置され、かつ、人工大動脈弁と同じように構成される。これに関して、人工弁は三つの小葉部４１０を具備してなり、各小葉部４０１の側縁４０２は他の弁小葉部４０１の隣接側縁と解放可能に係合する。弁小葉部４０１は概して半月形状を有する。弁小葉部４０１の上面は、三つの放射状に延在する隆起部４０３を形成するように、側縁４０２に向かって起立している。隆起部は、弁４００の周囲において、側縁４０２の交連ポイント４０４(すなわち、側縁が互いに固定されるポイント)へと、弁の中央領域から起立している。交連ポイント４０４は、図５ａから分かるように、ジグザグリップ４１２の内側尖端４１１近傍の筒状部の第１の端部に接続されており、この結果、人工弁４００の隆起部４０３は、突出部４２,４３間に設けられたギャップＧと整列している。
【００７４】
本発明の第５実施形態に基づくプロテーゼ５を図６ａおよび図６ｂに示す。プロテーゼ５は、弁５００が、第１の端部５１にではなく、主管５０の第２の端部５２に設けられていることを除いて、本発明の第４実施形態のプロテーゼと類似している。これによって、使用時に、人工弁と大動脈弁５００との間の干渉が確実に生じなくなる。
【００７５】
図示してはいないが、プロテーゼ弁は、これに代えて、プロテーゼの主管の二つの端部間のいかなるポジションにでも配置できる。
【００７６】
本発明の第６実施形態に基づくプロテーゼ６を図７ａおよび図７ｂに示す。プロテーゼ６は、主管６０の突出部６１,６２,６３の、ならびに分岐管６４,６５の壁材を除いて、本発明の第３実施形態のプロテーゼ３(図４ａならびに図４ｂ)と同じである。特に、第１および第２の突出部の６１,６２,６３の壁は、それに対して個々の分岐管６４,６５が取り付けられる環状領域６１１,６２１を具備してなるが、この環状領域６１１,６２１は、突出部６１,６２,６３の残部および筒状部６６の壁材よりも、さらに弾力性に富みかつフレキシブルな壁材からなる。分岐管６４,６５は、この実施形態では、環状領域６１１と同じ壁材からなる。
【００７７】
主管６０の壁のよりフレキシブルでありかつ弾力性に富む領域につながるように分岐管６４,６５を配置することによって、分岐管６４,６５は、互いに対してかつプロテーゼの残部に対して、かなりの程度動くことができる。これは、プロテーゼ６に、大動脈根における分岐領域において使用するための、より高い適応性をもたらすが、これは異なる解剖学的形態を有することがある。すなわち、たとえば冠状動脈小孔のポジションは、患者間で異なることがある。互いに対して、そしてプロテーゼ６の残部に対して動くことができる分岐管６４,６５を有することによって、同一のプロテーゼ６を、たとえば、患者が異なるポジションに冠状動脈小孔を有する場合でさえ、患者のために使用可能である。
【００７８】
本発明の第７実施形態に基づくプロテーゼ７を図８に示す。プロテーゼ７は、フレキシブルでありかつ／または弾力性に富む環状壁領域を有するのではなく、主管７０の第１の端部７０１に隣接する(参照数字７６で示す)大きな壁領域が主管７０の残部よりも、さらにフレキシブルであることを除いて、本発明の第６実施形態のプロテーゼ６(図７ａおよび図７ｂ)と同じものである。特に、突出部７１,７２,７３、分岐管７４,７５、およびシール７８と筒状部７７の(点線Ｂ''によって示す)第１の端部との間の筒状部７７の環状領域７７１の壁材は、筒状部７７の残部よりも、さらにフレキシブルである。壁材における違いは、図８において異なる模様で示されている。柔軟性の違いは、たとえば、異なる組織プロファイルを織物壁材に付与することによって実現可能である。
【００７９】
本発明の第８実施形態に基づくプロテーゼ８を図９ａおよび図９ｂに示す。プロテーゼの形態は、主管が図９ａないし図９ｄに示すように収縮状態に置かれたときに突出部８１,８２の壁材が分岐管８４,８５を取り囲むのに十分な柔軟性を有することを除いて、第３、第６および第７のプロテーゼと実質的に同じものである。事実上、分岐管は、主管８０が収縮状態に置かれたときに、突出部８１,８２,８３のプリーツ内へと折り込まれる。突出部８１,８２,８３内へと折り込まれた分岐管８４,８５は、図９ｃにおいて点線を用いて示されている。
【００８０】
本発明の第９実施形態に基づくプロテーゼ９を図１０に示す。プロテーゼ９は、筒状部９１を有する主管９０と、二つの分岐管９２,９３とを具備してなる。だが、この実施形態においては、突出部が設けられていない。代わりに、分岐管９２,９３が筒状部９１に対して接続されている。筒状部９１の壁は、Ｚステント９４のスカフォードによって支持されている。特に、筒状部の第１の端部９１４における第１の周壁セクション９１１は一体型Ｚステントによって支持されており、筒状部の第２の端部９１５における第３の周壁セクション９１３はＺステント９４によって支持されており、そして(第１および第３の周壁セクション９１１,９１３間に配置された)第２の周壁セクション９１２は実質的に支持されていない、すなわちそれは一体型Ｚステントを持たない。分岐管９３,９４は第２の周壁セクション９１２に対して接続される。分岐管９２,９３の壁もまた、一体型Ｚステント９２１,９３１を具備してなる。
【００８１】
第２の周壁セクション９１２は、第１および第３の周壁セクション９１１,９１３よりも高い柔軟性を有するが、これは、当該セクションの動きが支持Ｚステントによって制限されていないからである。したがって、第２の周壁セクション９１２に対して接続された分岐管９２,９３は、第１および第３の周囲セクション９１１,９１３に対して、かつ／または互いにかなりの程度動くことができ、分岐管９２,９３を、異なる相対ポジションを有する枝血管内に配置することが可能となる。
【００８２】
図示していないが、プロテーゼ９は、プロテーゼ弁、ならびに筒状部の第１の端部９１４から突出する突出部、たとえば葉状部を備えていてもよい。プロテーゼアセンブリ大動脈弁の分岐領域において使用され、かつ、第１および第２の分岐管が右および左側冠状動脈内に配置される場合、葉状部が、大動脈弁の小葉部を押圧し、かつ、大動脈弁を横切って突出し、小葉部を離間するように移動させ、大動脈弁を解放状態で維持するように、葉状部は、筒状部の端部から十分に遠方まで延在していてもよい。これによって、同時に機能するプロテーゼ弁および大動脈弁から生じ得る問題が回避される。突出部はまた、プロテーゼが適切に「着座」するのを助ける。
【００８３】
先の実施形態のいずれか一つに基づくプロテーゼを送り込むための送り込み器具１０００を図１１ないし図１４に示す。
【００８４】
送り込み器具１０００は、血管分岐領域へとプロテーゼを送り込むためのアセンブリ１００１と、分岐領域への送り込み中にプロテーゼ(図示せず)およびアセンブリ１００１の上に配置されるよう構成された薄壁ＰＴＦＥ内側スリーブ１００２とを具備してなる。内側スリーブ１００２は、送り込みのための収縮状態でプロテーゼの主管を配置している。
【００８５】
アセンブリ１００１は、(好ましくはポリマー素材からなる)中心押し込みコア１００３を具備してなるが、これは、器具の前方にその近位端部１００４からその遠位端部１００５へと延在している。(この実施形態では概して立方形である)プッシュ要素１００６は、プロテーゼと係合しかつ分岐領域に向かってプロテーゼを押しやるために、押し込みコア１００３の遠位端部１００５に接続されている。プッシュ要素１００６は、プロテーゼの主管に当接するための遠位端面１００７を有する。遠位端面１００７は、押し込みコア１００３の延長方向と実質的に直交する平面に沿って存在している。
【００８６】
プッシュ要素１００６は、中心押し込みコア１００４よりも幅広である。それは、押し込みコア１００３の延長方向と直交する方向に中心押し込みコア１００３を越えて延在する側方(横方向)領域１００８を有する。この実施形態では、プッシュ要素１００６の側方領域に二つの孔１００９が設けられており、これを経て、二つのアクチュエータ１０１０がスライド可能に配置される。アクチュエータ１０１０、たとえばプッシュロッドは、プッシュ要素１００６の遠位端部から突出するために器具の前方に孔１００９を経てスライドできるよう構成されている。アクチュエータ１０１０はそれぞれバルーンカテーテル１０１１(図１３参照)を具備してなるが、これはスリーブ１０１２内で保持されている。アクチュエータ１０１０は、それらを枝血管内に配置するために、プロテーゼの分岐管と係合すると共に、それらを枝血管、たとえば冠状動脈に向かって押しやるために、プッシュ要素１００６から前方に押しやることができる。その後、バルーンカテーテル１０１０のバルーン１０１３は分岐管を拡張することができ、この結果、それらは冠状動脈内にぴったりとフィットする。
【００８７】
本器具はさらに、補強外側ライナースリーブ１０１４(図１４参照)を具備してなるが、これは、分岐領域への送り込みの間、ライナースリーブ、プッシュアセンブリおよびプロテーゼを取り囲むように配置される。この実施形態では、スリーブは編組金属によって補強されている。このような補強外側スリーブを設けることによって、スリーブは、捩れに対する弾力性を有する一方でフレキシブルであり、これは、分岐領域が大動脈根にあって、送り込み装置が大動脈アーチのタイトな湾曲を進む必要がある場合に、特に有益である。送り込み器具が分岐領域に到達すると、外側スリーブを取り外すことができる。その後、プロテーゼの主管は内側スリーブを後退させることによって拡張することができ、この結果、主管は、大動脈根において、大動脈の側壁と係合できる。続いては、上述したように、血管の分岐領域内へと分岐管を押しやるためにアクチュエータを使用できる。
【００８８】
図１５ないし図１９は、第３実施形態のプロテーゼ３(図４ａおよび図４ｂ)に類似した、本発明のさらなる実施形態に基づくプロテーゼを示している。図１５ないし図１７は３次元コンピューターモデルから得られたプロテーゼのイメージを示しており、そして(やはりコンピューターモデルから得られた)図１９は大動脈根内の本来の場所にあるプロテーゼを示している。
【００８９】
主管１０'は、この主管１０'の下側端部における三つの突出部１５'の一つと同様、これらのイメージの中に明確に認識できる。突出部１５'の二つに接続され、かつ、そこから延在している二つの分岐管１７',１８'もまた認識できる。
【００９０】
図１６は、それらが取り付けられる主管の一部の柔軟性によって、分岐管１７',１８'が主管の側壁に対して、どのように連結できるかを示している。図１９から最もよく分かるように、これによってそれらが、その中にそれらが配置される冠状動脈の形状に合致することが可能となる。
【００９１】
図１８および図１９に示すように、主管１０'自体はやはり、湾曲形態を呈することができる。主管１０'は、それを支持するステント支持枠の構造によって、特定の方向に、そして一定の範囲まで湾曲するよう拘束されている。この支持枠の基本形状を図１８ａないし図１８ｄに示す。この例では、四つのステント１１２',１１２''(たとえばＺステント)は、プロテーゼの壁のための周方向サポートを提供している。最も下方のステント１１２''のジグザグ形状は、他のステント１１２'のそれよりも幅広であり、突出部１５'の基本形状を創出している。
【００９２】
ステント１１２',１１２''は、タイバー１１３によって、プロテーゼに沿って長手方向に離間した状態で、互いに連結される。これらタイバーはプロテーゼの一方側(たとえば図１８ｃから分かるように右手側)のためのものである。図から明らかであるように、タイバー１１３のこの形態によって、プロテーゼが、タイバー１１３を有する側に面することが可能となる。というのは、ステント１１２',１１２''は、タイバー１１３を備えた面と反対側のプロテーゼの面上で、互いに離間するように自由に広がることができるからである。タイバー１１３上のポジションの適切な選択によって、プロテーゼの可能な湾曲の程度および方向を決定できる。この例では、図１８ａから最もよく分かるように、各隣接ステント１１２',１１２''間には二つのタイバー１１３が存在する。タイバーは、上端から下端に向かって、ますます遠く離間するように間隔が置かれている。
【００９３】
上記代表的実施形態に関連付けて本発明を説明してきたが、さまざまな等価的変更および変形例は、上記説明から当業者にとっては明らかである。したがって、上記の本発明の代表的実施形態は例証であって限定ではないと解釈すべきである。本発明の趣旨および範囲から逸脱することなく、上記実施形態に対して、さまざまな変更を施すことができる。
【符号の説明】
【００９４】
１  プロテーゼ
１０  主管
１１  筒状壁部
１２,１３  端部
１４,１５,１６  突出部
１７,１８  分岐管
１１１  リム
１１２  Ｚステント
１２１,１３１  開口
１７１,１８１  開口
１７２,１８２  ステント
【図１】
0005560205.tif 000002
【図２ａ】
0005560205.tif 000003
【図２ｂ】
0005560205.tif 000004
【図３】
0005560205.tif 000005
【図４ａ】
0005560205.tif 000006
【図４ｂ】
0005560205.tif 000007
【図５ａ】
0005560205.tif 000008
【図５ｂ】
0005560205.tif 000009
【図６ａ】
0005560205.tif 000010
【図６ｂ】
0005560205.tif 000011
【図７ａ】
0005560205.tif 000012
【図７ｂ】
0005560205.tif 000013
【図８】
0005560205.tif 000014
【図９ａ−９ｄ】
0005560205.tif 000015
【図１０】
0005560205.tif 000016
【図１１】
0005560205.tif 000017
【図１２】
0005560205.tif 000018
【図１３】
0005560205.tif 000019
【図１４】
0005560205.tif 000020
【図１５】
0005560205.tif 000021
【図１６】
0005560205.tif 000022
【図１７】
0005560205.tif 000023
【図１８ａ】
0005560205.tif 000024
【図１８ｂ】
0005560205.tif 000025
【図１８ｃ】
0005560205.tif 000026
【図１８ｄ】
0005560205.tif 000027
【図１９】
0005560205.tif 000028